(57)【要約】【課題】輝度のピークの方向を制御することができる透過型スクリーンを提供するを提供する。【解決手段】入光面側から入射した映像光を出光面側に透過させる複数の層が積層された透過型スクリーン１０であって、フレネルレンズ部２３を有するフレネルレンズシート２１と、フレネルレンズシートの出光側に配置される積層体１１と、を備え、積層体は、プリズム形状の断面を有してスクリーン面に沿った１つの方向に延びるとともに、該延びる方向とは異なる方向に配列される複数の単位プリズム１４ａを具備するプリズムシート１２を有する。【選択図】図３
2014182168.tif 000002
【特許請求の範囲】
【請求項１】
入光面側から入射した映像光を出光面側に透過させる複数の層が積層された透過型スクリーンであって、
フレネルレンズ部を有するフレネルレンズシートと、
前記フレネルレンズシートの出光側に配置される積層体と、を備え、
前記積層体は、
プリズム形状の断面を有してスクリーン面に沿った１つの方向に延びるとともに、該延びる方向とは異なる方向に配列される複数の単位プリズムを具備するプリズムシートを有する、透過型スクリーン。
【請求項２】
前記プリズムシートより前記フレネルレンズシートとは反対側となる位置に、光を拡散して透過する光拡散層が配置されている請求項１に記載の透過型スクリーン。
【請求項３】
前記プリズムシートより前記フレネルレンズシートとは反対側となる位置に、光制御層が設けられ、
前記光制御層は、
スクリーン面に沿った１つの方向に延びるとともに、該延びる方向とは異なる方向に配列される、光を透過する複数の光透過部と、
隣り合う前記光透過部間に光を吸収する材料が含まれることにより光を吸収する複数の光吸収部と、を有し、
前記単位プリズムが延びる方向と、前記光透過部が延びる方向とが、前記透過型スクリーンを平面視したときに交差する、請求項１又は２に記載の透過型スクリーン。
【請求項４】
前記交差する角度が９０°である請求項３に記載の透過型スクリーン。
【請求項５】
請求項１乃至４のいずれか１項に記載の透過型スクリーンと、
前記透過型スクリーンの背面側に配置される映像光源と、を備えるリアプロジェクション表示装置。
【請求項６】
前記透過型スクリーンの前記単位プリズムが延びる方向が鉛直方向である請求項５に記載のリアプロジェクション表示装置。
【発明の詳細な説明】
【技術分野】
【０００１】
本発明は、背面側から投射された映像光を観察者側に透過して提供するための透過型スクリーン、及び該透過型スクリーンを備えるリアプロジェクション表示装置に関する。
【背景技術】
【０００２】
映像や画像を表示する表示装置の１つとして、リアプロジェクション表示装置がある。このリアプロジェクション表示装置は、背面投射型表示装置とも呼ばれ、透過型スクリーンの背面側に配置された映像光源から映像光をスクリーンの正面側（観察者側）に出射する表示装置である。リアプロジェクション表示装置に具備される透過型スクリーンには映像光源からの映像光を正面側に出射するに際して観察者が適切で良質な映像として観察できるように、フレネルレンズシートや光拡散シート等が備えられている。
【０００３】
例えば特許文献１、２には、フレネルレンズシートで平行化された映像光を拡散して視野角を広げる観点から拡散剤が含有された光拡散層を具備する透過型スクリーンが開示されている。また、特許文献１、２に記載の透過型スクリーンは、光を透過する部位と、光を吸収する部位とが交互に配列された層を具備し、外光等の不要な光の一部を吸収することができるように構成されている。
【０００４】
これによれば、光拡散層で光を拡散して広い視野角で映像光を観察することができる。
【先行技術文献】
【特許文献】
【０００５】
【特許文献１】特開２０１２−０３２５１３号公報
【特許文献２】特開２０１２−１０８４２５号公報
【発明の概要】
【発明が解決しようとする課題】
【０００６】
しかしながら、特許文献１、２に記載された透過型スクリーンでは、視野角は広がるものの、スクリーンの正面（スクリーン法線方向）において映像が最も明るく、正面から角度がずれるに従って映像が暗くなる傾向にある。例えば車載のカーナビゲーションや車のコンソールに透過型スクリーンを用いる場合には、正面よりも運転席側や運転席側及び助手席側に明るい映像を提供することが必要である。
ところが、特許文献１、２に記載された透過型スクリーンでは、明るい映像を提供する方向を制御することが困難であった。
【０００７】
そこで本発明は上記問題点に鑑み、輝度のピークの方向を制御することができる透過型スクリーンを提供することを課題とする。また当該透過型スクリーンを備えるリアプロジェクション表示装置を提供する。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、入光面側から入射した映像光を出光面側に透過させる複数の層が積層された透過型スクリーン（１０）であって、フレネルレンズ部（２３）を有するフレネルレンズシート（２１）と、フレネルレンズシートの出光側に配置される積層体（１１）と、を備え、積層体は、プリズム形状の断面を有してスクリーン面に沿った１つの方向に延びるとともに、該延びる方向とは異なる方向に配列される複数の単位プリズム（１４ａ）を具備するプリズムシート（１２）を有する、透過型スクリーンである。
【００１０】
ここでプリズム形状とは、光を分散、屈折、全反射、及び複屈折の少なくとも１つを起こさせる界面を構成するために該界面の一方と他方とで屈折率が異なるように形成した多面体に基づく形状である。
【００１１】
請求項２に記載の発明は、請求項１に記載の透過型スクリーン（１０）において、プリズムシート（１２）よりフレネルレンズシートとは反対側となる位置に、光を拡散して透過する光拡散層（１８）が配置されている。
【００１２】
請求項３に記載の発明は、請求項１又は２に記載の透過型スクリーン（１０）において、プリズムシート（１２）よりフレネルレンズシート（２１）とは反対側となる位置に、光制御層（１７）が設けられ、光制御層は、スクリーン面に沿った１つの方向に延びるとともに、該延びる方向とは異なる方向に配列される、光を透過する複数の光透過部（１７ａ）と、隣り合う光透過部間に光を吸収する材料が含まれることにより光を吸収する複数の光吸収部（１７ｂ）と、を有し、単位プリズム（１４ａ）が延びる方向と、光透過部が延びる方向とが、透過型スクリーンを平面視したときに交差する。
【００１３】
請求項４に記載の発明は、請求項３に記載の透過型スクリーン（１０）において、上記した交差する角度が９０°である。
【００１４】
請求項５に記載の発明は、請求項１乃至４のいずれか１項に記載の透過型スクリーン（１０）と、透過型スクリーンの背面側に配置される映像光源（３）と、を備えるリアプロジェクション表示装置（１）である。
【００１５】
請求項６に記載の発明は、請求項５に記載のリアプロジェクション表示装置（１）において、透過型スクリーン（１０）の単位プリズム（１４ａ）が延びる方向が鉛直方向である。
【発明の効果】
【００１６】
本発明によれば、映像光源から提供された映像光を制御して、該映像光の輝度のピークの方向を所望の方向とすることができる。
【図面の簡単な説明】
【００１７】
【図１】第一の形態を説明する図であり、リアプロジェクション表示装置１の構造を概念的に表した図である。
【図２】透過型スクリーン１０の斜視図である。
【図３】透過型スクリーン１０の層構成を説明する水平方向断面図である。
【図４】透過型スクリーン１０の層構成を説明する鉛直方向断面図である。
【図５】プリズムシート１２の一部を拡大した図である。
【図６】変形例におけるプリズムシート１２’の一部を拡大した図である。
【図７】他の変形例におけるプリズムシート１２”の一部を拡大した図である。
【図８】光制御層１７の作製方法の一場面を示した図である。
【図９】フレネルレンズシート２１を観察者側正面から見た図である。
【図１０】第二の形態を説明する図であり、透過型スクリーン５０の層構成を表す水平方向断面図である。
【図１１】第三の形態を説明する図であり、リアプロジェクション表示装置１０１の構造を概念的に表した図である。
【図１２】透過型スクリーン１１０の斜視図である。
【図１３】透過型スクリーン１１０の層構成を説明する水平方向断面図である。
【図１４】透過型スクリーン１１０の層構成を説明する鉛直方向断面図である。
【発明を実施するための形態】
【００１８】
本発明の上記した作用及び利得は、次に説明する発明を実施するための形態から明らかにされる。以下、本発明を図面に示す実施形態に基づき説明する。ただし、本発明はこれら実施形態に限定されるものではない。なお、以下に示す図面では分かりやすさのため部材の大きさや比率を誇張して記載することがある。また、見やすさのため繰り返しとなる符号は省略することがある。
【００１９】
図１は、第一の形態を説明する図であり、リアプロジェクション表示装置１（以下、「表示装置１」と記載することがある。）の内部構造の一部を概念的に表した図ある。
【００２０】
表示装置１は、透過型スクリーン１０を有しており、映像光源３から出射された映像光Ｉが透過型スクリーン１０を通じて観察者側に提供される。例えば表示装置１は、自動車のセンターコンソール部に内蔵され、透過型スクリーン１０の観察者側面が車内に露出して配置され、観察者に映像を提供する。
図１からわかるように、表示装置１は、筐体２、映像光源３、及び透過型スクリーン１０を備えている。その他、図示は省略するが、表示装置１には表示装置として機能するための各種構成部材が備えられている。
【００２１】
筐体２は表示装置１の外殻を形成し、表示装置１を構成する部材の大部分をその内側に収める部材である。また筐体２は透過型スクリーン１０を支持可能に開口を有しており、該開口に透過型スクリーン１０が嵌め込まれて取り付けられている。
【００２２】
映像光源３は、筐体２内に配置されており、照射領域がしだいに広がっていく発散光として透過型スクリーン１０の入光面のほぼ全域に映像光を照射する。このような映像光源３としては従来公知である光源、例えばＤＭＤを用いた単管方式の光源を用いることができる。なお、本形態において、映像光源３は、透過型スクリーン１０の背面側（観察者側とは反対側）で、該透過型スクリーン１０の中央より下方に配置されている。
ここで、入光面とは、透過型スクリーン１０を構成する各層の面のうち、映像光源３が配置された側の面を意味する。一方、出光面とは、観察者側に向けられた面を意味する。
【００２３】
次に透過型スクリーン１０について説明する。図２には透過型スクリーン１０の斜視図を示した。また、図３は図２にＩＩＩ−ＩＩＩで示した線に沿った水平方向における透過型スクリーン１０の厚さ方向断面、図４は図２にＩＶ−ＩＶで示した線に沿った鉛直方向における透過型スクリーン１０の厚さ方向断面であり、それぞれは透過型スクリーン１０の層構成を模式的に表した図である。
【００２４】
図３、図４からわかるように、透過型スクリーン１０は複数の層が積層されており、積層体１１及びフレネルレンズシート２１が厚さ方向に並べられている。以下詳しく説明する。
【００２５】
積層体１１は、フレネルレンズシート２１に近い側から、プリズムシート１２、光制御シート１５、光拡散層１８、基板１９、及びハードコート層２０を備えており、これらが積層されている。
【００２６】
プリズムシート１２は、シート状に形成された本体部１３と、本体部１３の面のうち、フレネルレンズシート２１に対向する面、つまり入光側面に設けられた単位プリズム部１４と、を有している。図５には、図３のうちプリズムシート１２の一部に注目して拡大した図を示した。ここでｎｄはプリズムシート１２に含まれる本体部１３のシート面の法線方向を表わしている。
【００２７】
プリズムシート１２は、後述するように、フレネルレンズシート２１から平行化して出射された映像光を所望の方向に偏向する機能（指向性偏向機能）を有する層である。この指向性偏向機能は、プリズムシート１２のうち、主として単位プリズム部１４によって発揮される。
【００２８】
図３乃至図５に表れているように、本体部１３は、単位プリズム部１４を支持する機能を有する平板状のシート部材である。そして、本体部１３の面のうち、フレネルレンズシート２１に対向する側とは反対側の面が出光側面となる。本形態において、本体部１３の出光側面は、平坦（平ら）で平滑な面として形成され、後述する光制御シート１５が接着剤により積層されている。
【００２９】
単位プリズム部１４は、図３乃至図５によく表れているように、複数の単位プリズム１４ａが本体部１３の入光側面の１つの方向（本形態では水平方向）に沿って並べられるように配置されている。より具体的には、単位プリズム１４ａは、当該並べられる方向（本形態では水平方向）に直交する方向（本形態では鉛直方向）に、図３、図５に示したプリズム形状の断面（本形態では三角形断面形状）を維持して延びるように形成された柱状の部材である。その延在する方向は、単位プリズム１４ａが並べられる方向に直交する方向である他、後述する光制御シート１５の光吸収部１７ｂが延びる方向に対して正面視で交差し、この角度は９０度ずれた方向であることが好ましい。従って、本形態では単位プリズム１４ａが延びる方向と光吸収部１７ｂが延びる方向とは平面視で直交する。
なお、単位プリズム１４ａが延びる方向は映像光を偏向する方向に交差する方向となる（本形態では単位プリズム１４ａは鉛直、偏向方向は水平方向左右である。）。
【００３０】
本形態では１つの例として三角形断面である単位プリズム１４ａについて説明したが、これに限らず他のプリズム形状の断面であってもよい。プリズム形状は光を分散、屈折、全反射、及び複屈折の少なくとも１つを起こさせる界面を構成するために該界面の一方と他方とで屈折率が異なるように形成した多面体に基づく形状である。
【００３１】
図３、図５からわかるように、本形態において単位プリズム１４ａは、本体部１３の入光側を底辺とし、法線ｎｄを高さ方向としてフレネルレンズ２１側に位置する頂点を有する二等辺三角形の断面を具備する。従って、単位プリズム１４ａの２つの斜辺は、法線方向ｎｄと平行な軸を対称軸として、線対称となっている。これにより、後述するように法線方向ｎｄから単位プリズム１４ａに入射した映像光は、単位プリズム１４ａの並列方向に平行な面（本形態では水平面）左右に偏向され、輝度のピークの方向が当該偏向した方向に変換される。
【００３２】
ここで、単位プリズム１４ａの寸法は特に限定されるものではなく、所望の偏向方向に応じて決めることができる。例えば単位プリズム１４ａの屈折率を１．５５、図５に表した単位プリズム１４ａの頂角θ１を９０°とすることにより、輝度のピークを法線ｎｄに対して水平方向左右２８°の向きに偏向することができる。
【００３３】
以上のような構成を有するプリズムシート１２は、押し出し成型により、又は、本体部１３上に単位プリズム１４ａを賦型することにより、製造することができる。プリズムシート１２をなす材料としては、種々の材料を使用することができる。ただし、表示装置に組み込まれる光学シート用の材料として広く使用され、優れた機械的特性、光学特性、安定性および加工性等を有するとともに安価に入手可能な材料、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）が好適に使用され得る。
【００３４】
図６には、１つの変形例のプリズムシート１２’を説明する図を示した。図６は図５に相当する図である。本例のプリズムシート１２’は、本体部１３及び単位プリズム部１４’を有している。本体部１３はプリズムシート１２に具備される本体部１３と同様である。
【００３５】
上記したプリズムシート１２では、単位プリズム１４ａが二等辺三角形の断面を有していたのに対し、プリズムシート１２’の単位プリズム部１４’を構成する単位プリズム１４ａ’は斜辺を形成する２つの辺で法線ｎｄと成す角が異なる。すなわち図６に表したように、一方の斜辺１４ｂ’が法線に対してθ２２を有して傾斜しており、他方の斜辺１４ｃ’が法線に対してθ２３を有して傾斜している。
これにより、後述するように法線方向ｎｄから単位プリズム部１４ａ’に入射した映像光は、単位プリズム１４ａ’の並列方向に平行な面（本形態では水平面）左右において偏向される程度が異なる。このように斜辺の角度を変えることにより、輝度の高い映像光を出射する向きを制御することができる。例えば単位プリズム１４ａ’の屈折率を１．５５とし、図６にθ２１で表した頂角を９０°、斜辺１４ｂ’が法線ｎｄと成す角であるθ２２を３０°、斜辺１４ｃ’が法線ｎｄと成す角であるθ２３を６０°とすることにより、輝度のピークを法線ｎｄに対して水平方向左右でそれぞれ異なる程度で偏向することが可能である。具体的には斜辺１４ｂ’により４２°、斜辺１４ｃ’により１７°でそれぞれ輝度のピークを偏向できる。
【００３６】
図７には、他の変形例のプリズムシート１２”を説明する図を示した。図７は図５に相当する図である。本例のプリズムシート１２”は、本体部１３及び単位プリズム部１４”を有している。本体部１３はプリズムシート１２に具備される本体部１３と同様である。
【００３７】
上記したプリズムシート１２では、断面が二等辺三角形である単位プリズム１４ａが連続して配列されていたのに対し、プリズムシート１２”の単位プリズム部１４”に具備される単位プリズム１４ａ”は隣り合う単位プリズム１４ａ”との間にＷ３２の間隙を有して配列されている。従って当該間隙部分においては本体部１３の面１３ａ”が露出し、本体部１３の出光面と平行となっている。
これにより、プリズムシート１２のように映像光を偏向することができるとともに、後述するように正面（法線ｎｄ方向）へも映像光を提供することができる。必要に応じてＷ３２の大きさを変更すれば、正面へ提供される映像光の明るさを調整することが可能である。例えば単位プリズム１４ａ”の屈折率を１．５５、図７にθ３で表した単位プリズム１４ａ”の頂角を９０°、図７にＷ３１で表したピッチを１２０μｍ、図７にＷ３２で表した間隔部分を４０μｍとすることにより、輝度のピークの向きを、法線ｎｄに対して０度（正面）、水平方向左右に２８°のそれぞれとなるように偏向することができる。
【００３８】
本形態では本体部１３の出光面と平行である面１３ａ”を単位プリズム１４ａ”の間隙により形成したが、この他、単位プリズムのうち突出する頂部を出光面と平行になるように切断したような形態によっても面１３ａ”と同様の効果を奏するものとなる。このときには単位プリズムの断面は台形となる。
【００３９】
次に図３、図４に戻り光制御シート１５について説明する。本形態では光制御シート１５はプリズムシート１２のうちフレネルレンズシート２１とは反対側に積層されており、映像光を透過するとともに不要な光の少なくとも一部を吸収する機能を有している。図３、図４からわかるように、光制御シート１５は、基材層１６及び光制御層１７を有している。
【００４０】
基材層１６は、光制御層１７を形成するための基材となる層である。従って、基材層１６は光透過性を有し、光制御層１７を形成及び保持することができる程度に強度を有していればよい。従って、基材層１６を構成する材料は特に限定されることはないが、プリズムシート１２の本体部１３と同様のものを挙げることができる。
【００４１】
光制御層１７は上記基材層１６の観察者側に積層されており、基材層１６の一方の面（スクリーン面）に沿って光を透過可能に並列された複数の光透過部１７ａと、隣接する２つの光透過部１７ａの間に並列された複数の光吸収部１７ｂと、を備えている。そして、本形態では光透過部１７ａ及び光吸収部１７ｂは、図４に示した断面を有して図３に表れるように１方向（本形態では水平方向）に延び、当該延びる方向とは異なる方向（本形態では鉛直方向）に複数の光透過部１７ａ及び光吸収部１７ｂが交互に並列されている。
当該光透過部１７ａ、及び光吸収部１７ｂが延びる方向は上記プリズムシート１２により映像光が偏向される方向に交差しない方向であることが好ましい。すなわち、光吸収部１７ｂが延びる方向は上記した通り単位プリズム１４ａが延びる方向と平面視で直交することが好ましい。
【００４２】
光透過部１７ａは、映像光を透過する機能を有する部位で、図４に表れる断面において、略台形の断面を有する要素である。当該略台形断面における上底が観察者側、該上底より長い下底がフレネルレンズシート２１側にそれぞれ配置されている。本形態では隣り合う光透過部１７ａの下底側（フレネルレンズシート２１側）が連結されている。
【００４３】
光透過部１７ａは、光透過性を有する材料により形成されている。このような材料は特に限定されることはないが、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を用いることができる。ここで光透過部１７ａの屈折率は特に限定されることはないが、適用する材料の入手性の観点等から１．４９〜１．５６であることが好ましい。
【００４４】
光吸収部１７ｂは、隣り合う光透過部１７ａ間に形成される光を吸収する機能を有する部位であり、本形態では略台形を有する。従って光吸収部１７ｂには光を吸収する材料が含有されており、この略台形断面における上底がフレネルレンズシート２１側、該上底より長い下底がその反対側である観察者側に向けられている。
ここで、光吸収部１７ｂの略台形断面における斜辺（脚部）は、透過型スクリーン１０の層の厚さ方向（図３、図４の紙面左右方向）に対して０度以上１０度以下の角度をなしていることが好ましい。本形態では、光吸収部１７ｂは断面が略台形である例を示したが、これに限らず正方形、長方形、平行四辺形であってもよい。また、上記斜辺の傾きは必ずしも一定である必要はなく、透過型スクリーン１０の厚さ方向位置によって変化した折れ線状であってもよいし、曲線状であってもよい。さらに、光吸収部１７ｂの上底の長さを小さくして断面を略三角形とすることもできる。
【００４５】
このような光吸収部１７ｂは例えば透明樹脂中に光吸収性を有する材料を含有することにより形成することができる。
透明樹脂としては例えば電離放射線硬化型樹脂等を用いることができ、特に限定されることはないが、例えば電子線、紫外線等の電離放射線により硬化する特徴を有するウレタンアクリレート系、エポキシアクリレート系等のアクリレート系樹脂を用いることができる。
一方、光吸収性を有する材料としては、可視光である迷光や外光等の不要光を吸収する機能を有すればよく、例えばカーボンブラック、グラファイト、黒色酸化鉄等の金属塩等、顔料、染料を挙げることができる。
【００４６】
また、赤外線により透過型スクリーン１０への接触を検知する機能を有する場合には、透過型スクリーン１０内を赤外光が効率よく透過することが好ましい。従って、このときには光吸収性を有する材料として可視光を吸収する一方で赤外光を透過するものであることが好ましい。
赤外光を透過し得る光吸収剤として、顔料又は染料を混ぜたインキからなるものを用いることができる。顔料としては、ペリレンブラック顔料、アニリンブラック顔料、フォーマット墨（イエロー、マゼンダ、シアン顔料の混合顔料）、フタロシアニンブルー、ブリリアントカーミン等が挙げられる。さらに、光吸収剤が顔料又は染料で着色された樹脂粒子である場合、樹脂粒子の具体例として、メラミンビーズ、アクリルビーズ、アクリル−スチレンビーズ、ポリカーボネートビーズ、ポリエチレンビーズ、ポリスチレンビーズ等のプラスチックビーズが挙げられるが、これらの中でもアクリルビーズが好適に用いられる。
【００４７】
光制御シート１５は例えば次のように製造される。図８に説明のための図を示した。
始めに、基材層１６となる基材１６’の上に、光透過部１７ａを形成する。光透過部１７ａを形成するには、光透過部１７ａの形に対応した表面形状を有するの金型ロール３２を準備する。次に、当該金型ロール３２とニップロール３１との間に基材１６’を送り込む。図８に示した矢印ＶＩＩＩは、基材１６’を送り込む方向である。基材１６’の送り込みに合わせて、金型ロール３２と基材１６’との間に供給装置３５から光透過部１７ａを構成する組成物３０の液滴を供給し続ける。供給装置３５から基材１６’上に組成物３０を供給するとき、金型ロール３２と基材１６’との間に、組成物３０が溜まったバンクが形成されるようにする。このバンクにおいて、組成物３０が基材１６’の幅方向に広がる。
【００４８】
上記のようにして金型ロール３２と基材１６’との間に供給された組成物３０は、金型ロール３２およびニップロール３１間の押圧力により、基材１６’と金型ロール３２との間に充填される。その後、光照射装置３４によって組成物３０に紫外線等を照射し、組成物３０を硬化させることによって光透過部１７ａを形成することができる。光透過部１７ａが形成された後、基材１６’上に光透過部１７ａが形成されたシートは、剥離ロール３３を介して引かれることによって、金型ロール３２から引き剥がされる。そして所定の大きさに切断される。
これにより基材層１６及び該基材層１６上に光透過部１７ａが積層された中間部材を得る。
【００４９】
得られた中間部材に対して硬化する前の光吸収部を構成する組成物を過剰に供給し、ブレードで押圧して掻き取るように移動させる。これにより余分な組成物を除去するとともに、隣り合う光透過部１７ａ間に組成物が充填される。その後、当該組成物を適切な方法で硬化させる。これにより、光透過部１７ａ間に光吸収部１７ｂが形成される。
以上により基材層１６上に光制御層１７が積層された光制御シート１５を得る。
【００５０】
図３、図４に戻って光拡散層１８について説明する。光拡散層１８は透過した光を拡散させる機能を有する層である。具体的には、光拡散層１８は、透明樹脂からなるベース部と該ベース部に分散された拡散成分とを有している。そして光拡散層１８は、ベース部と拡散成分との間の屈折率差に起因して、又は拡散成分自体が有する反射性に起因して光を拡散させることができる。光拡散層１８のこの機能により映像光が拡散され所定の視野角を得ることができる。
【００５１】
光拡散層１８のベース部を形成する透明樹脂としては例えば、メチルメタクリレート・ブタジエン・スチレン共重合体（ＭＢＳ）、アクリル樹脂、ポリカーボネート樹脂等を用いることができる。
一方、拡散成分としては、プラスチックビーズ等の有機フィラーが好適であり、特に透明度が高いものが好ましい。プラスチックビーズとしては、メラミンビーズ、アクリルビーズ、アクリル−スチレンビーズ、ポリカーボネートビーズ、ポリエチレンビーズ、ポリスチレンビーズ、塩化ビニルビーズ等を挙げることができる。この中でもアクリルビーズが好ましい。また、拡散成分を気泡で構成することもできる。
【００５２】
光拡散層１８の厚さは０．１ｍｍ以上２．０ｍｍ以下であることが好ましく、０．２ｍｍ以上１．５ｍｍ以下であることがより好ましい。光拡散層１８の厚さが０．１ｍｍより薄くなると光の拡散効果を十分に得られない虞がある。一方、光拡散層１８の厚さが２．０ｍｍを超えると映像がぼやけてしまう可能性がある。
【００５３】
基板１９は、積層体１１に所定のコシを付与するシート状の部材であり、透光性を有するとともに、当該コシを付与することができる材料により形成されている。この材料としては特に限定されることはないが、メチルメタクリレート・ブタジエン・スチレン共重合体（ＭＢＳ）、アクリル樹脂、ポリカーボネート樹脂等を用いることができる。
【００５４】
ハードコート層２０は、表面保護を目的として、透過型スクリーン１０のうち観察者側の最表面に設けられる層である。ハードコート層２０は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００５５】
また、ハードコート層２０には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）等が挙げられ、イオン導電タイプではリチウム塩系材料等が挙げられる。
また、撥水性向上のために用いることができる材料としては、フッ素系化合物等が挙げられる。
【００５６】
積層体１１には、その他、適宜必要な機能を有する層を積層することができる。これには例えば色調を補正するいわゆるＴｉｎｔ層が挙げられる。
【００５７】
次にフレネルレンズシート２１について説明する。フレネルレンズシート２１は、積層体１１の映像光源側に配置されるシートであり、基部２２と、基部２２の表面に形成されたフレネルレンズ部２３と、入射側透明基材層２４と、を備えている。図９にはフレネルレンズ部２３を説明するために、フレネルレンズ部２３を正面から観察したときの形態を模式的に示した。
【００５８】
基部２２はフレネルレンズ部２３を形成するためのベースとなる層である。従って、基部２２は光透過性を有し、その一方の面にフレネルレンズ部２３を形成及び保持することができる程度に強度を有していればよい。これには例えば上記した本体部１３と同様の材料を用いることができる。
【００５９】
フレネルレンズ部２３は、映像光源３から発散光束として透過型スクリーン１０に投射される映像光の進行方向を偏向させる機能を有している。具体的には、フレネルレンズ部２３は、発散光束として入射した映像光を、映像光入射側から映像光出射側へ向けて進む平行光束、例えば観察者側正面方向へ進む平行光束に偏向する。このようにフレネルレンズ部２３を用いて映像光をいったん平行光化させておくことにより、観察者に観察される映像、とりわけ、観察者によって斜め方向から観察される映像の明るさの内面ばらつきを効果的に緩和させることができる。
【００６０】
図９からわかるように、本形態のフレネルレンズ部２３はいわゆるサーキュラーフレネルレンズである。従って、複数の単位レンズ２３ａのそれぞれの長手方向は、所定の半径の円弧に沿って延びており、隣接する単位レンズ２３ａとは同心円をなすように配列されている。各単位レンズ２３ａの断面形状はその目的に応じて適宜公知のものを用いることができる。
本形態では、単位レンズ２３ａは水平方向に関しては該水平方向における中心位置を通る鉛直方向線Ａに対して線対称となっている。一方鉛直方向に関しては単位レンズ２３ａが配列される同心円の中心Ｏが、鉛直方向線Ａ上で透過型スクリーン１０より下方となるような形態である。このように中心Ｏをフレネルレンズ部２３の中心から鉛直方向下方に偏心させることにより、透過型スクリーン１０の下方から映像光を投射したとしても、映像光源３からの発散光束を効率よく平行光束にすることができる。また、このように透過型スクリーンの下方から映像光を照射する構成によって、映像光源３を観察者側に近付けることができ、表示装置１を薄くすることができる。
【００６１】
ただし、これに限定されることはなく、同心円の中心がフレネルレンズ部内に存在するサーキュラーフレネルレンズや、単位レンズが水平又は鉛直に直線状に延び、当該延びる方向とは異なる方向に複数の単位レンズが配列されるリニアフレネルレンズを適用することを妨げるものではない。
【００６２】
フレネルレンズ部２３を構成する樹脂としては、アクリル樹脂、スチレン樹脂、ポリエステル樹脂、ポリカーボネート樹脂、アクリル−スチレン共重合体樹脂等の透明樹脂を挙げることができる。
また、透過型スクリーン１０のサイズが大きい場合には成形性の観点からエポキシアクリレートやウレタンアクリレート系の反応性樹脂（電離放射線硬化型樹脂等）を用いることができる。
【００６３】
入射側透明基材層２４は、フレネルレンズシート２１の変形を防止し、フレネルレンズシート２１を支持できるように構成されている。かかる観点から、入射側透明基材層２４を形成する材料の具体例として、アクリル樹脂、スチレン樹脂、ポリエステル樹脂、ポリカーボネート樹脂、アクリル−スチレン共重合体樹脂等を挙げることができる。また、入射側透明基材層２４の厚さは１ｍｍ乃至３ｍｍであることが好ましい。入射側透明基材層２４が１ｍｍ未満であると剛性が不十分となる虞がある。一方、入射側透明基材層２４が３ｍｍより厚くなると映像に不具合が生じる可能性が高くなる。
【００６４】
このようなフレネルレンズシート２１は例えば次のように作製することができる。すなわち、上記した基部２２となるシート状部材と、フレネルレンズ部２３を成形できる凹凸形状を有する金型との間に、フレネルレンズ部２３となるべき硬化前の材料を充填する。そして当該硬化前の材料を適切な硬化手段を用いて硬化させる。これを離型して基部２２のうちフレネルレンズ部２３が形成されていない側の面に入射側透明基材層２４を接着剤を用いて接合する。これによりフレネルレンズシート２１を得ることができる。
【００６５】
以上示した各構成において、プリズムシート１２のうち、単位プリズム部１４とは反対側の本体部１３に光制御シート１５の基材層１６が接着剤により固定される。そして光制御シート１５の光制御層１７の基材層１６とは反対側に光拡散層１８、基板１９、ハードコート層２０がこの順でそれぞれ接着剤で積層されて、積層体１１となる。
そしてフレネルレンズシート２１のフレネルレンズ部２３側に作製した積層体１１を配置し、両者の外縁を互いに固定する等して位置決めをおこない、透過型スクリーン１０を得ることができる。
【００６６】
以上説明した透過型スクリーン１０を備える表示装置１によれば、例えば次のように観察者に映像光を提供することができる。光路例を示しつつ説明する。ただし、ここで示す光路例は概念的なものであり、反射角や屈折角等を厳密に表したものではない。
【００６７】
図１に示したように、映像光源３から出射した映像光Ｌ１は、透過型スクリーン１０の入光面側に達する。
このようにして透過型スクリーン１０の入光面側に達した映像光は、図３に示した映像光Ｌ３１、Ｌ３２、Ｌ３３、Ｌ３４、及び図４に示した映像光Ｌ４１のように、フレネルレンズシート２１のフレネルレンズ部２３の作用により観察者側（正面方向）に平行となるように偏向される。
【００６８】
フレネルレンズシート２１で平行化された映像光はプリズムシート１２の単位プリズム１４ａの斜面に達する。図３に映像光Ｌ３１、Ｌ３２、Ｌ３３、Ｌ３４、及び図５に映像光Ｌ５１、Ｌ５２で表したように、単位プリズム１４ａが延びる方向に直交する方向（本形態では水平方向）に関しては映像光が到達した斜面により、当該水平方向左右のいずれかに偏向される。偏向の程度は単位プリズム１４ａの法線ｎｄ（図５参照）に対する斜辺の角度や単位プリズム１４ａの屈折率等により決まる。
一方、図４に表した映像光Ｌ４１のように、単位プリズム１４ａが延びる方向に平行な方向（本形態では鉛直方向）に関してはほとんど偏向されることなく正面の方向を維持する。
以上からわかるように、プリズムシート１２により、映像光は所望の方向（本形態では水平方向左右）に偏向され、当該左右方向において輝度のピークが得られる。
【００６９】
プリズムシート１２により上記のように偏向された映像光は図３に映像光Ｌ３１、Ｌ３２、Ｌ３３、Ｌ３４、図４に映像光Ｌ４１で表したように光拡散層１８に達し、光拡散層１８の光拡散剤の作用により概ね均等に光が拡散される。これにより視野角が広がる。ただし、光拡散層１８による光の拡散では、輝度が高い方向は維持されるので、プリズムシート１２により偏向された高い輝度の方向はそのまま維持され、これに基づいて視野角が広がる方向に光が拡散する。
【００７０】
このような透過型スクリーン１０及び表示装置１によれば、左右方向に存在する観察者にとって見易い映像光を提供することができる。すなわち、例えば自動車のコンソール中央に配置された表示装置は、運転席及び助手席に着席した者が見ることが多いので表示装置の正面が明るく、その左右方向の映像光が暗いことは不便である。これに対して透過型スクリーン１０及び表示装置１によれば、このような不具合を解消することが可能である。
一方、本形態では、鉛直方向への光の拡散を小さく抑えている。これにより例えば自動車のコンソールに表示装置１を配置した場面を考えたとき、特に鉛直方向上方への映像光がフロントガラスに映り込むことを防止することが可能となり、より利便性が高まる。
【００７１】
図６に示したプリズムシート１２’を備えた例では、図６に示した映像光Ｌ６１、Ｌ６２のように、左右方向を均等でなく、左右方向一方でより角度が大きく偏向した位置で輝度のピークが得られる。このように、所望の方向へ高い輝度の映像光を提供することが可能となる。
【００７２】
また、図７に示したプリズムシート１２”を備えた例では図７に示した映像光Ｌ７１、Ｌ７２、Ｌ７３のように、図５に示した映像光Ｌ５１、Ｌ５２と同様な偏向（映像光Ｌ７１、Ｌ７２）に加え、設けられた本体部１３の面１３ａ”を透過した映像光Ｌ７３は偏向されることなくプリズムシート１２”を透過する。このように、正面方向へも映像光の輝度が必要な場合には、面１３ａ”を形成することにより可能となる。上記したように面１３ａ”の幅Ｗ３２の大きさによって正面輝度の程度を調整することができる。
【００７３】
一方、観察者側から透過型スクリーン１０に照射される外光は、図４に例を示した外光Ｌ４２のように、光吸収部１７ｂで吸収される。これによりコントラストを向上させることができる。
【００７４】
図１０は第二の形態を説明する図であり、透過型スクリーン５０の水平方向断面で層構成を模式的に表している。図１０は図３に相当する図である。
透過型スクリーン５０では、プリズムシート５２が上記プリズムシート１２とは異なり本体部１３を有しておらず、単位プリズム部１４のみで形成されている。そして当該単位プリズム１４が光制御シート１５の基材層１６に積層されている。これにより、上記した透過型スクリーン、及び表示装置と同様の機能を有する他、透過型スクリーンを薄く形成することができる。
【００７５】
このようなプリズムシート５２は、本体部１３の代わりに基材層１６の一方の面に単位プリズム部１４を形成することにより作製できる。その後、基材層１６の他方の面に光制御層１７を例えば上記のように形成することにより光制御シート１５も製造される。
【００７６】
図１１は、第三の形態を説明する図であり、リアプロジェクション表示装置１０１（以下、「表示装置１０１」と記載することがある。）の内部構造の一部を概念的に表した図ある。
【００７７】
表示装置１０１は、透過型スクリーン１１０を有しており、映像光源３から出射された映像光Ｘが透過型スクリーン１１０を通じて観察者側に提供される。例えば表示装置１０１は、自動車のセンターコンソール部に内蔵され、透過型スクリーン１１０の観察者側面が車内に露出して配置され、観察者に映像を提供する。
図１１からわかるように、表示装置１０１も筐体２、映像光源３、及び透過型スクリーン１１０を備えている。その他、図示は省略するが、表示装置１０１には表示装置として機能するための各種構成部材が備えられている。筐体２及び映像光源３については上記した表示装置１と同様である。
【００７８】
図１２には透過型スクリーン１１０の斜視図を示した。図１２は図２に相当する図である。また図１３には図１２にＸＩＩ−ＸＩＩで示した水平方向断面で、図３に相当する図、図１４には図１２にＸＩＩＩ−ＸＩＩＩで示した鉛直方向断面で、図４に相当する図をそれぞれ表した。
図１１乃至図１４からわかるように、透過型スクリーン１１０は全体として板状であるが、観察者側に突出するような凸状に湾曲した曲面を有している。これにより外観に優れた透過型スクリーン、及びこれを備えるリアプロジェクション表示装置１０１を提供することができる。例えば、車のコンソールの曲面に沿ったように湾曲したものとすれば車内の内装を良好にできる。
【００７９】
なお、透過型スクリーン１１０は、湾曲した曲面を有していること以外は透過型スクリーン１０と同じ構成を備えているので、各構成要素については透過型スクリーン１０と同じ符号を付して説明を省略する。
【００８０】
透過型スクリーン１１０及びこれを備える表示装置１０１によれば、上記した効果に加えて、曲面を有し、外観に優れたものとなる。これにより例えば自動車の内装に合わせて画面を曲げて配置することができ、設計の自由度や外観が向上する。
【００８１】
透過型スクリーン１１０は例えば次のように作製することができる。すなわち、初めに湾曲していない状態のフレネルレンズシート及び積層体をそれぞれ作製する。これらは上記した方法等により作製することができる。
【００８２】
次にこの湾曲する前のフレネルレンズシート、積層体を、該フレネルレンズシート、積層体を構成する樹脂のガラス転移温度以上に加熱することで軟化させる。この温度は用いられた樹脂により決められるが６０℃乃至２５０℃が好ましく、より好ましくは７０℃乃至２００℃である。そして、この軟化したフレネルレンズシート、積層体を、所定の曲面形状を有した不図示の金型に、例えば押圧部材や気体圧力を用いて押し付ける。この押し付けた状態でフレネルレンズシートを冷却することにより曲面を有するフレネルレンズシート及び積層体を得る。
【００８３】
以上のように形成した湾曲したフレネルレンズシートのフレネルレンズ部側に湾曲した積層体を配置し、両者の外縁を互いに固定する等して位置決めをおこない、曲面を有する透過型スクリーン１１０を得ることができる。
【００８４】
なお、ここでは１つの例として観察者側に凸となる曲面を有する透過型スクリーン１１０を説明したが、凸となる向きはこれに限定されることなく背面側に凸（すなわち観察者側からみると凹）であってもよく、凹凸が複合されて１つの透過型スクリーンで部位により凹凸の向きが変わるように構成されていてもよい。
【符号の説明】
【００８５】
１、１０１  リアプロジェクション表示装置（表示装置）
２  筐体
３  映像光源
１０、５０、１１０  透過型スクリーン
１１  積層体
１２、５２  プリズムシート
１３  本体部
１４  単位プリズム部
１４ａ  単位プリズム
１５  光制御シート
１６  基材層
１７  光制御層
１７ａ  光透過部
１７ｂ  光吸収部
１８  光拡散層
１９  基板
２０  ハードコート層
【図１】
2014182168.tif 000003
【図２】
2014182168.tif 000004
【図３】
2014182168.tif 000005
【図４】
2014182168.tif 000006
【図５】
2014182168.tif 000007
【図６】
2014182168.tif 000008
【図７】
2014182168.tif 000009
【図８】
2014182168.tif 000010
【図９】
2014182168.tif 000011
【図１０】
2014182168.tif 000012
【図１１】
2014182168.tif 000013
【図１２】
2014182168.tif 000014
【図１３】
2014182168.tif 000015
【図１４】
2014182168.tif 000016